(57)【要約】【課題】ベッド型のマッサージ機と比較して噴射ノズル等の液体噴射手段の移動範囲を最小限に抑制して、小型化可能となし、狭い室内に、容易に設置でき、水槽を小型にして使用水量を減少させ、また重量を低減して、マッサージ機設置室内の床への重量負担を軽減できるマッサージ機を提供すること。【解決手段】開口部５をシート７で覆って密閉された水槽２と、マッサージに供する水を水槽２内でシート７に向かって噴射する噴射ノズル９ａ〜９ｄと、座位姿勢でマッサージ受療者を載置する載置部３と、載置部３を移動させるための載置部移動手段と、からなり、載置部移動手段により、載置部３を水槽２外で移動させながら、噴射ノズル９ａ〜９ｄにより噴射された水圧をマッサージ受療者４３に作用させてマッサージを行う。【選択図】図１
2016202821.tif 000002
【特許請求の範囲】
【請求項１】
開口部を備え、かつ、前記開口部が被覆用シートで覆われた筐体と、
前記筐体内に配置され、前記被覆用シートに向かって液体を噴射する液体噴射手段と、
前記筐体外に配置され、略座位姿勢でマッサージ受療者を載置する載置部と、
前記載置部を移動させるための載置部移動手段と、
を備え、
前記載置部移動手段により、前記載置部を前記筐体外から前記被覆用シート上を移動させながら、前記液体噴射手段から噴射された噴射液体を、前記被覆用シートを介して、前記マッサージ受療者に作用させることが可能となっている、
ことを特徴とするマッサージ機。
【請求項２】
前記筐体が、前記液体を溜めることができる液槽であり、前記液槽は、前記被覆用シートで密閉されていると共に、前記液槽内の前記液体を、前記液体噴射手段で循環使用することが可能となっている、
ことを特徴とする請求項１に記載のマッサージ機。
【請求項３】
前記載置部移動手段は、前記マッサージ受療者のマッサージ部位を前記被覆用シートに近接させる軌道に沿って、前記載置部を移動させる、
ことを特徴とする請求項１または２に記載のマッサージ機。
【請求項４】
前記載置部の移動範囲を調節可能となっている、
ことを特徴とする請求項１〜３のいずれかに記載のマッサージ機。
【請求項５】
前記マッサージ受療者が当該マッサージ機に乗降が可能な位置に前記載置部が移動可能となっている、
ことを特徴とする請求項１〜４のいずれかに記載のマッサージ機。
【請求項６】
前記液体噴射手段は、液体を噴射する噴射ノズルと、前記噴射ノズルを移動させる噴射ノズル移動機構とを具備する、
ことを特徴とする請求項１〜５のいずれかに記載のマッサージ機。
【請求項７】
前記噴射ノズルが、複数個設けられている、
ことを特徴とする請求項６に記載のマッサージ機。
【請求項８】
前記噴射ノズルと前記マッサージ受療者との距離が調節可能となっている、
ことを特徴とする請求項６または７に記載のマッサージ機。
【請求項９】
前記載置部は、その外形を形成する枠体と、マッサージ受療者を支持する載置用シートとを具備するとともに、前記載置用シートが前記被覆用シートと接触する部分に摩耗防止手段を備えている、
ことを特徴とする請求項１〜８のいずれかに記載のマッサージ機。
【発明の詳細な説明】
【技術分野】
【０００１】
本発明は、水等の液体の液圧を利用してマッサージ等を行うマッサージ機に関するものである。
【背景技術】
【０００２】
従来から、マッサージ等を受けるマッサージ受療者に、ポンプ等で加圧された水をマッサージ受療者の身体に当て、その水圧等でマッサージを行うマッサージ機が知られる。
【０００３】
このマッサージ機には、仰臥位姿勢でマッサージするベッド型のマッサージ機や、座位姿勢でマッサージする椅子型のマッサージ機が存在する。
【０００４】
また、マッサージ機には、ウォーターベッド等の水中から噴射ノズルで水を噴射する水中噴射式（例えば、後記の特許文献１参照）や、マッサージ受療者に水を噴射する方式として、空中から噴射ノズルで水を噴射する空中噴射式(例えば、後記の特許文献２参照）が存在する。
【０００５】
上記特許文献１および２の何れも噴射ノズルとマッサージ受療者の身体との間にシート等の膜が存在しており、マッサージ受療者の身体に、直接、噴射水が触れない構造となっているので、水漏れの心配がなく屋内でも使用できる。
【０００６】
マッサージ受療者の身体に、直接、水を当ててマッサージを行うマッサージ機も存在するが、このようなマッサージ機では、噴射ノズルと身体との間にシート等の膜が存在していないため、室内で、着衣状態で使用することができないうえ、噴射ノズルを可動させたりすると、噴射ノズル等で身体を挟み込む恐れがあり、噴射ノズルとしては固定式の噴射ノズルを使用するのが一般的である。
【０００７】
また、噴射ノズルを可動させず椅子を上下方向に可動させてマッサージ受療者のマッサージ部位を変更する構造となっているマッサージ機もある（例えば、後記の特許文献３参照）。
【先行技術文献】
【特許文献】
【０００８】
【特許文献１】特開２００４−２０８８１８号公報
【特許文献２】実開平０５−５３６３６号公報
【特許文献３】実開平０６−８０４３２号公報
【発明の概要】
【発明が解決しようとする課題】
【０００９】
マッサージ受療者に対して仰臥位姿勢で使用する上記マッサージ機では、マッサージ受療者の全身をマッサージする場合、通常、マッサージ受療者の背部全面をマッサージ機の背凭れ部にある噴射ノズルからの噴射水の水圧で押す構造となっている。
【００１０】
上記ベッド型のマッサージ機では、特有の浮遊感が得られ満足度が高く、マッサージ受療者は、仰臥位の状態で下側からの噴射水の水圧でマッサージされるため、マッサージ受療者の体重によりマッサージ力が逃げること無く適当な力で水圧マッサージができる。
【００１１】
しかし、その反面、前記特有の浮遊感から乗り物酔いの状態になったり、あるいは、ベッド面の形状が定まらず、不安定なベッド面となると、マッサージ受療者がベッド面上に手をついて起き上がったり乗り降りをしたりしなければならない。そのため、マッサージ受療者が、足腰が弱い患者であったり、高齢者であったりする場合には、マッサージ受療者への負担が大きく、マッサージを受けることを敬遠される虞もある。
【００１２】
また、ベッド型のマッサージ機のうち、ウォーターベッド型のマッサージ機では、水槽に水を溜め、その溜めた水を水槽に戻して循環させるという構造である。そのため、マッサージ機の本体自体が、大型・重量化し、マッサージ機の設置場所の面積不足やマッサージ機が設置される床の機械的強度の不足によっては、マッサージ機を設置できなかったり、床の補強工事を必要としたりする場合があった。
【００１３】
一方、マッサージ受療者に対して座位姿勢で使用する上記椅子型のマッサージ機では、座位姿勢になった為、載置部にマッサージ受療者を着座させる座位姿勢でマッサージを行うために、マッサージ受療者の背中をマッサージする場合、通常、マッサージ受療者の背中をマッサージ機の背凭れ部にある噴射ノズルからの噴射水の水圧で押す構造となっている。
【００１４】
そのため、背凭れ部側からマッサージ受療者の背中を噴射水の水圧で押すとマッサージ受療者の上半身がその水圧で前方に倒れるように押し出されてしまい、水圧によるマッサージ力が逃げて背中にマッサージ力が伝わりにくく、意図したマッサージが効果的にできなくなるという問題がある。
【００１５】
そのため、座位姿勢でマッサージを行うこの種のマッサージ機では、背凭れ部を後方へ大きくリクライニング(倒伏)させ、マッサージ受療者の体重を利用することにより、マッサージ受療者の身体が前記水圧で前方へ押し出されるのを防止するようになっている。しかし、背凭れ部を後方へ大きくリクライニングさせるためには、マッサージ機の周辺に背凭れ部をリクライニングさせることができるスペースを余分に設定しなければならず、仰臥位のマッサージ機と同様マッサージ機が設置される室内が狭いと、マッサージ機を設置できなくなるという問題がある。
【００１６】
本発明は、上記課題に鑑みてなされたものであり、略座位姿勢でマッサージを受けるマッサージ機において、リクライニングスペースを必要とすることなく、マッサージ力を損なわずマッサージ受療者の背中側を含めてマッサージすることができ、これにより、小型化が実現できて、狭い室内に容易に設置でき、また重量を低減して、設置室内の床面への重量負担を軽減できるマッサージ機を提供することを目的とする。
【００１７】
なお、本発明の他の目的は、以下の記述から明らかであろう。
【課題を解決するための手段】
【００１８】
本発明は、上記目的を達成するため、以下の手段を提供する。
【００１９】
(１)本発明に係るマッサージ機は、開口部を備え、かつ、前記開口部が被覆用シートで覆われた筐体と、前記筐体内に配置され、前記被覆用シートに向かって液体を噴射する液体噴射手段と、前記筐体外に配置され、略座位姿勢でマッサージ受療者を載置する載置部と、前記載置部を移動させるための載置部移動手段と、を備え、前記載置部移動手段により、前記載置部を前記筐体外から前記被覆用シート上を移動させながら、前記液体噴射手段から噴射された噴射液体を、前記被覆用シートを介して、前記マッサージ受療者に作用させることが可能となっていることを特徴とする。
【００２０】
上記構成によると、載置部移動手段により載置部を移動させながら、前記液体噴射手段から噴射された噴射液体を、前記被覆用シートを介して、前記マッサージ受療者に作用させることができるので、液体噴射手段の各マッサージ部位に対する移動範囲を最小限に抑制できる。例えば、載置部移動手段によって載置部をマッサージ受療者の身長方向に移動させれば、液体噴射手段そのものは前記移動方向に移動させる必要がなくなる。また液体噴射手段を、マッサージ受療者の左右幅方向にのみ移動させれば、載置部が移動してマッサージ受療者のマッサージ部位が変更すると、マッサージ受療者をその身長方向全体に亘り、かつ、その左右幅方向にマッサージできる。また、載置部移動手段により、マッサージ受療者の上半身を前記筐体と水平位置まで移動させれば、マッサージ受療者の体重により、マッサージ力が逃げること無く適当な力で水圧マッサージができる。
【００２１】
その結果、上記構成では、略座位姿勢でマッサージを受けるマッサージ機でありながら、ベッド型マッサージ機のようにマッサージ受療者の各マッサージ部位を広い範囲に亘り適当な力でマッサージできる一方で、ベッド型マッサージ機と比較してマッサージ機を格段に小型化できるという優れた利点を有するマッサージ機となる。
【００２２】
そのため、上記構成では、ベッド型マッサージ機と略同機能を達成できる一方で、ベッド型マッサージ機とは異なって、狭い室内であっても、当該マッサージ機を容易に設置でき、さらに、小型化が可能となる分、マッサージ機の重量を軽減でき、その結果、取り扱い易く、且つ、マッサージ機の設置床面への重量負担も大きく軽減できるという特有の優れた効果が得られる。
【００２３】
なお、前記被覆用シートは、その名称に狭く限定されるべきではなく、例えば、膜やその他の名称を含む。
【００２４】
なお、液体噴射手段は、水中から液体を噴射する手段のみならず、空中から液体を噴射する手段を含む。
【００２５】
また、液体噴射手段は、好ましくは、噴射ノズルであるが、本発明の液体噴射手段は、噴射ノズルに限定されるものではない。
【００２６】
また、液体噴射手段から噴射する液体は、好ましくは、水であるが、水に限定されない。
【００２７】
(２)本発明において、好ましくは、前記筐体は、前記液体を溜めることができる液槽であり、前記液槽は、前記被覆用シートで密閉されていると共に、前記液槽内の前記液体を、前記液体噴射手段で循環使用することが可能となっている。
【００２８】
この構成によれば、前記筐体が、液槽であるので、液槽を小型にできる分、マッサージのために使用する水等の液量が減り、経済的である。さらに、液槽に溜めた水等の液体を循環して使用することができるので、より経済的である。
【００２９】
（３）本発明において、好ましくは、前記マッサージ受療者のマッサージ部位を前記被覆用シートに近接させる軌道に沿って、前記載置部を移動させる。
【００３０】
この構成によると、載置部がどの位置にあっても、載置部は被覆用シートに近接移動されるので、液体噴射手段から噴射される液体の噴射圧を一定にしてマッサージ受療者に付与でき、効率的なマッサージができる。
【００３１】
なお、前記近接には、マッサージ受療者のマッサージ部位と前記被覆用シートとの接触する場合と、非接触の場合のいずれか一方およびその両方を含む。
【００３２】
（４）本発明において、好ましくは、前記載置部の移動範囲を調節可能とする。
【００３３】
この構成によると、マッサージ受療者に対するマッサージの目的、あるいは、マッサージ受療者の身長等や、どのようなマッサージを受けるかの要望、その他に応じて、載置部の移動範囲を調節できるので、特定のマッサージ部位を効率的にマッサージできる。また、載置部が前記移動範囲を超えて無駄に移動しないようにすることができるので、載置部が前記移動範囲を超えて無駄に移動することに伴うマッサージ受療者の乗り物酔いを軽減できる。
【００３４】
（５）本発明において、好ましくは、前記マッサージ受療者が当該マッサージ機に乗降が可能な位置に前記載置部が移動可能である。
【００３５】
この構成によると、ベッド型マッサージ機のように、マッサージ受療者における体位を移乗後の仰臥位に変更する必要がなくなり、マッサージ機に対し、マッサージのための乗機、およびマッサージ終了後の降機が容易となる。
【００３６】
（６）本発明において、好ましくは、前記液体噴射手段は、液体を噴射する噴射ノズルと、前記噴射ノズルを移動させる噴射ノズル移動機構と、を具備する。
【００３７】
この構成によると、噴射ノズルを例えばマッサージ受療者の身体の左右幅方向へ移動させれば、マッサージ受療者の身体を広い範囲に亘ってマッサージでき、また、噴射ノズルをマッサージ受療者の身体に遠近移動させると、身体に対する噴射液の液圧の強弱や、身体におけるマッサージ範囲を適正に調節することができる。
【００３８】
（７）本発明において、好ましくは、前記噴射ノズルが複数個設けられている。
【００３９】
この構成によると、噴射ノズルが複数箇所あるので、同時に複数箇所のマッサージが行え、マッサージ時間を短縮することができる。
【００４０】
（８）本発明において、好ましくは、前記噴射ノズルとマッサージ受療者との距離を調節可能とする。
【００４１】
この構成によると、マッサージ受療者の体重差によりマッサージ受療者の身体と噴射ノズルとの間の距離が変動することなく、一定の噴射圧をマッサージ受療者に付与することができ、適確なマッサージをすることができる。
【００４２】
（９）本発明において、好ましくは、前記載置部は、載置部の外形を形成する枠体と、人体を支持する載置用シートとを具備すると共に、前記載置用シートが前記開口部に設けた前記被覆用シートに接触する部分に摩耗防止手段を備える。
【００４３】
この構成によると、前記被覆用シートや前記載置用シートが摩耗し破損することを防止することができる。また、摩擦が減る分、載置部等を駆動する動力を小さくすることができる。
【発明の効果】
【００４４】
本発明によれば、載置部移動手段により載置部を移動させ、この載置部に載置しているマッサージ受療者の各マッサージ部位を液体噴射手段に対して近づけるように移動させて、マッサージができるので、液体噴射手段、例えば、噴射ノズルの各マッサージ部位に対する移動範囲を最小限に抑制できる。
【００４５】
その結果、本発明によれば、略座位姿勢でマッサージを受けるマッサージ機でありながら、ベッド型マッサージ機のようにマッサージ受療者に対して広い範囲で身体の各所に対してのマッサージができつつ、ベッド型マッサージ機よりも格段にマッサージ機を小型化できる。
【００４６】
以上のことから、本発明では、ベッド型マッサージ機のごとく、マッサージ受療者を身体の各マッサージ部位を広い範囲に亘ってマッサージできる一方で、マッサージ力を損なうことなく、広い設置室が要求されるベッド型マッサージ機とは異なって、マッサージ機の設置室が狭くても、マッサージ機の設置が容易であり、特に、小型化が可能となる分、マッサージ機の重量が軽減し、これにより、取り扱いが容易で、且つ、マッサージ機の設置床面への重量負担を大きく軽減できるマッサージ機を提供することができる。
【図面の簡単な説明】
【００４７】
【図１】本発明の一実施形態に係るマッサージ機の内部を示す側面図である。
【図２】図１のマッサージ機内部を示す上面図である。
【図３】マッサージの開始状態を示す側面図である。
【図４】マッサージの途中状態を示す側面図である。
【図５】マッサージ機が動作停止し載置部がマッサージ受療者の乗降し易い位置にある状態を示した側面図である。
【図６】マッサージ機における水槽内部の噴射ノズルを左右に可動させるノズル移動機構の作動図である。
【図７】図６からノズル移動カムを反時計回り方向に回転させたノズル移動機構の作動図である。
【図８】図７からノズル移動カムを反時計回り方向にさらに回転させたノズル移動機構の作動図である。
【図９】本発明の他の変形例であり、その変形例に係る図１の要部を拡大して示す図である。
【発明を実施するための形態】
【００４８】
以下、添付した図面を参照して、本発明の実施形態に係るマッサージ機を説明する。実施形態では、液体として水を用いるが、水に限定されないことは前述の通りである。
【００４９】
図１および図２を参照して、マッサージ機１は、液槽の一例として、マッサージに使用する水を溜めることができる水槽２と、マッサージ受療者を載置する載置部３と、を有する。
【００５０】
水槽２は、略矩形の筐体構造であり、その上面が開口している。この構造形状は、特に限定されるものでは何等ない。水槽２の上面開口部５の周縁端部には、フランジ６が設けられる。水槽２の上面開口部５は、弾力性を有する被覆用シート７で覆われている。
【００５１】
被覆用シート７の材料には、例えば、ゴムシートが挙げられる。
【００５２】
被覆用シート７の端部は、フランジ６と、枠状のシート押さえ部材８とで挟み込まれている。これにより、被覆用シート７は水槽２の開口部５上に張設されている。これによって、水槽２は、その内部の水が、開口部５から外部へ漏れないように密閉されている。
【００５３】
水槽２の内部には、載置部３上に座位姿勢で搭乗しているマッサージ受療者を基準にその前方側と後方側との各２箇所に、液体噴射手段の一例として、水をマッサージ受療者に噴射するための噴射ノズル９ａ〜９ｄが設けられる。
【００５４】
前方噴射ノズル９ａ，９ｂは、載置部３上のマッサージ受療者を基準にその左右方向に隣り合って配置される。
【００５５】
後方噴射ノズル９ｃ，９ｄは、同じくマッサージ受療者を基準にその左右方向に隣り合って配置されている。
【００５６】
この前後および左右方向は、以下の説明においても、載置部３上のマッサージ受療者を基準にしている。
【００５７】
前方噴射ノズル９ａ，９ｂおよび後方噴射ノズル９ｃ，９ｄは、それぞれから被覆用シート７方向に水を噴射することが可能なようにノズル固定部材１０ａ〜１０ｄに個別に固定されている。
【００５８】
ノズル固定部材１０ａ〜１０ｄは、上部に噴射ノズル９ａ〜９ｄが固定され、下部にノズル移動ローラー１１ａ〜１１ｄが固定され、これら上部および下部は、垂直方向に延びる連結部１２ａ〜１２ｄで一体に連結され、全体が側面視片仮名の「コ」の字状となっている。
【００５９】
前後のノズル固定部材１０ａ〜１０ｄは、それぞれのノズル移動ローラー１１ａ〜１１ｄが同じ向きとなっていて、左右方向へのみ移動できる。
【００６０】
前方ノズル固定部材１０ａ，１０ｂの連結部１２ａ，１２ｂの垂直方向の略中央箇所には、それぞれ、水平方向にピン状に突出する前方カム接触部材（カムフォロア）１３ａ，１３ｂが固定される。
【００６１】
後方ノズル固定部材１０ｃ，１０ｄの連結部１２ｃ，１２ｄの垂直方向の略中央箇所には、それぞれ、水平方向にピン状に突出する後方カム接触部材(カムフォロア）１３ｃ，１３ｄが固定されている。
【００６２】
水槽２内の前後には、前方噴射ノズル９ａ，９ｂと後方噴射ノズル９ｃ，９ｄとを左右方向それぞれに個別に移動させるための前方ノズル移動カム１４ａと後方ノズル移動カム１４ｂとが設けられている。これら前後のノズル移動カム１４ａ，１４ｂは、そのカム面が垂直となるように設置されている。
【００６３】
これら前方ノズル移動カム１４ａと後方ノズル移動カム１４ｂとは、全体のカム面形状が共に同一の長方形状をなし、その長方形の長辺方向に沿って同一形状および同一サイズの瓢箪型ないしは８の字状のカム溝１５ａ，１５ｂが形成されている。
【００６４】
カム溝１５ａ，１５ｂの「瓢箪型」や「８の字状」はカム溝１５ａ，１５ｂの形状の説明の都合で付したものであり、カム溝１５ａ，１５ｂの形状は、これに限定されないことは勿論である。また、前方ノズル移動カム１４ａと後方ノズル移動カム１４ｂそれぞれの形状それ自体は実施形態の形状に限定されないことは勿論である。
【００６５】
前方ノズル移動カム１４ａと後方ノズル移動カム１４ｂとは、それぞれカム溝１５ａ，１５ｂが垂直方向同一面内において９０度位相が異なる関係でもって、前後方向水平に延びるカム軸１６に一体連動可能に連結固定されている。
【００６６】
前方のカム接触部材１３ａ，１３ｂは、前方のノズル移動カム１４ａのカム溝１５ａに遊嵌され、後方のカム接触部材１３ｃ，１３ｄは、後方のノズル移動カム１４ｂのカム溝１５ｂに遊嵌されている。
【００６７】
カム軸１６の前方側端部は、水槽２の水平底面上に垂直方向に立設固定されたカム軸支持部材１７に回転自在に水平支持される。カム軸１６の後方側端部は、水槽２の後壁面２ａを貫通し、水槽２外部のカム駆動モーター１８に接続されている。これによって、カム軸１６は、カム駆動モーター１８の動力で水平軸心周りに回転可能になっている。
【００６８】
これらカム駆動モーター１８、カム軸１６、前後のノズル移動カム１４ａ，１４ｂ、および前後それぞれ２つのカム接触部材１３ａ〜１３ｄは、ノズル移動機構を構成する。
【００６９】
水槽２の後方には、水圧発生ポンプ１９が配備されている。水圧発生ポンプ１９は、水吸入側１９ａと水吐出側１９ｂとを有している。水圧発生ポンプ１９の水吸入側１９ａは、水槽２の後壁２ａに一端が貫通接続された吸入管２０を介して水槽２内に接続され、水圧発生ポンプ１９の水吐出側１９ｂは、吐出管２１を介してラジエーター２２に貫通接続されていると共に、分岐管２４を介して、噴射ノズル側配管２５に接続されている。
【００７０】
これにより、水槽２内の水は、水圧発生ポンプ１９によって、循環されて使用することができると共に、一部の水は、ラジエーター２２によって、冷却されて水槽２内に戻される。
【００７１】
噴射ノズル側配管２５は、前方噴射ノズル９ａ，９ｂに個別に接続される前方可撓性噴射ノズル配管２５ａと、後方噴射ノズル９ｃ，９ｄに個別に接続される後方可撓性噴射ノズル配管２５ｂとに分岐される。前方可撓性噴射ノズル配管２５ａと後方可撓性噴射ノズル配管２５ｂが可撓性であるのは、噴射ノズル９ａ〜９ｄが個別に左右方向に移動できるようにするためである。
【００７２】
前方可撓性噴射ノズル配管２５ａと後方可撓性噴射ノズル配管２５ｂは、例えば、塩化ビニールの材料で可撓性に製作されている。
【００７３】
マッサージ機１は、載置部３の外形を形成する枠体の一例として、載置フレーム２６を有する。
【００７４】
載置フレーム２６は、逆Ｕの字状で斜め後上方に延びる背凭れ側フレーム部２６ａと、略水平方向に延びる左右一対の腰乗せ側フレーム部２６ｂと、足載せ側フレーム部２６ｃと、脱落防止フレーム部２６ｄとから構成されている。
【００７５】
載置部３は、載置フレーム２６と、可撓性の載置布２７とで構成されており、載置布２７は、載置フレーム２６の左右一対の各フレーム部２６ａ〜２６ｃにその周縁が固定され、各一対のフレーム部２６ａ〜２６ｃの対向間に張られ、マッサージ受療者が座るとマッサージ受療者の体重がかかる方向に沈み込むことができるようになっている。
【００７６】
載置フレーム２６の背凭れ側フレーム部２６ａの両側には、一対の上側ガイド突起２８ａ，２９ａが形成され、載置フレーム２６の左右一対の腰乗せフレーム部２６ｂの両側には、一対の下側ガイド突起２８ｂ，２９ｂが形成されている。
【００７７】
水槽２右側には、右本体フレーム３０ａ、右外側チェーン３１，右内側チェーン３２ａ、および右載置部可動ガイド部材３３ａが配置される。
【００７８】
水槽２左側には、左本体フレーム３０ｂ、左内側チェーン３２ｂ、および左載置部可動ガイド部材３３ｂが配置される。
【００７９】
水槽２の右外側チェーン３１は、水槽２後方の載置部可動モーター３６のモーター軸３６ａと大径スプロケット３５と、の間に張装されている。
【００８０】
水槽２の右内側チェーン３２ａは、大径スプロケット３５と同軸一体回転する小径スプロケット３７と、複数の小径スプロケット群３８ａと、水槽２下面の凹部２ｂ内に左右方向に延びる連結軸３９右端側の小径スプロケット４０ａと、の間に張装されている。連結軸３９は、左右の本体フレーム３０ａ，３０ｂ間に水平かつ回転可能に取り付けられている。水槽２の右外側チェーン３１，右内側チェーン３２ａは、載置部可動モーター３６によって一体駆動される。
【００８１】
水槽２の左内側のチェーン３２ｂは、複数の小径スプロケット群３８ｂと、連結軸３９左端側の小径スプロケット４０ｂとの間に張装されている。水槽２の左内側チェーン３２ｂは、水槽２の右内側チェーン３２ａと、連結軸３９で連結されているので、該右内側チェーン３２ａと同方向に同期駆動される。
【００８２】
左右の載置部可動ガイド部材３３ａ，３３ｂは、板状であり、それぞれには、同形状の載置部可動ガイド穴４２ａ，４２ｂが形成されている。
【００８３】
これらチェーン３１，３２ａ，３２ｂ，載置部可動モーター３６、載置部可動ガイド部材３３ａ，３３ｂ、および載置部可動ガイド穴４２ａ，４２ｂ、等は、載置部３をマッサージ受療者のマッサージ部位を被覆用シート７に近接させる軌道に沿って移動させる載置部移動手段を構成する。
【００８４】
左右の載置部可動ガイド穴４２ａ，４２ｂは、垂直方向後方に若干湾曲した形状の上側ガイド穴部４２ａ１，４２ｂ１と、全体的に水平方向蛇行状に伸びる下側ガイド穴部４２ａ２，４２ｂ２とから構成されている。
【００８５】
上側ガイド穴４２ａ１，４２ｂ１には上側のガイド突起２８ａ，２９ａが挿入され、下側ガイド穴部４２ａ２，４２ｂ２には下側ガイド突起２８ｂ，２９ｂが挿入されている。
【００８６】
下側ガイド突起２８ｂ，２９ｂは内側チェーン３２ａ，３２ｂと連結されており、右外側チェーン３１の駆動力で載置部可動ガイド穴４２ａ，４２ｂの下側ガイド穴部４２ａ２，４２ｂ２に沿って動く。
【００８７】
左右内側のチェーン３２ａ，３２ｂは、前記したように、載置部可動ガイド穴４２ａ，４２ｂに沿って設けられた小径スプロケット群３８ａ，３８ｂにより、載置部可動ガイド穴４２ａ，４２ｂの下側ガイド穴部４２ａ２，４２ｂ２に沿った形状で取り付けられている。
【００８８】
次に、図３〜図８を参照して、動作を説明する。
【００８９】
まず、図３に示すように、載置部３にマッサージ受療者４３が搭乗している状態で、水圧発生ポンプ１９が稼働する。水圧発生ポンプ１９の稼動により、載置部３上のマッサージ受療者４３に噴射ノズル９ａ〜９ｄから一定水圧の水が噴射され、マッサージ受療者４３には、水槽２上面の被覆用シート７および載置部３上の載置布２７を介して、噴射ノズル９ａ〜９ｄからの噴射水が当たる。これにより、マッサージ受療者４３のマッサージ部位の１つである大腿部に対するマッサージが開始される。
【００９０】
次いで、載置部可動モーター３６が稼働すると、載置部可動モーター３６によって水槽２の右外側のチェーン３１および左右内側のチェーン３２ａ，３２ｂが反時計周りに回転される。これに伴い、左右の下側ガイド突起２８ｂ，２９ｂは、載置部可動ガイド穴４２ａ，４２ｂの下側ガイド穴部４２ａ２，４２ｂ２に沿って左方向へ移動させられ、これによって、載置部３も左方向へ移動する。
【００９１】
この時、上側のガイド突起２８ａ，２９ａは、載置部可動ガイド穴４２ａ，４２ｂの上側ガイド穴部４２ａ１，４２ｂ１に沿って下方向へ移動する。このため、載置部３は時計回りに回転しながら前方へ移動する。この移動の間も水圧発生ポンプ１９は稼働しているので、マッサージ受療者４３は、マッサージ部位が変更されながらその身体に沿ってマッサージが施されつつ、前方へ移動する。
【００９２】
図４は載置部３が完全に前方に移動した状態であり、下側左右のガイド突起２８ｂ，２９ｂは最も前方にある状態を示している。図４では、載置フレーム２６の背凭れフレーム部２６ａが略水平になっており、マッサージ受療者４３の背中と、噴射ノズル９ａ〜９ｄとの距離の変化が少なくなるように、左右載置部可動ガイド穴４２ａ，４２ｂの下側ガイド穴部４２ａ２，４２ｂ２は形成されている。
【００９３】
図６〜図８はノズル移動機構であるノズル移動カム１４ａ，１４ｂの動作を示した断面図であり、図６は図１、２の状態を後方から見た断面図、図７はノズル移動カム１４ａ，１４ｂが図６の状態からカム軸１６周りを反時計回り方向に４５度回転した断面図、図８は図７から前後のノズル移動カム１４ａ，１４ｂがカム軸１６周りを反時計回り方向にさらに４５度回転した断面図である。これらの図において、水槽２は噴射ノズル９ａ〜９ｄのみ図示した一部破断図となっている。
【００９４】
図６の状態からカム駆動モーター１８が稼働してカム軸１６が反時計回りへ回転すると、カム軸１６と一体の前後のノズル移動カム１４ａ，１４ｂも反時計回りへ回転する。
【００９５】
そうすると、図６から図７に示すように、後方のノズル移動カム１４ｂのカム溝１５ｂに沿って徐々に後方のカム接触部材１３ｃ，１３ｄが内側へ押し込まれ、それに伴い後方のカム接触部材１３ｃ，１３ｄと一体の後方のノズル固定部材１０ｃ，１０ｄが後方の噴射ノズル９ｃ，９ｄと共に内側へ移動する。
【００９６】
また、前方のノズル移動カム１４ａのカム溝１５ａに沿って徐々に前方のカム接触部材１３ａ，１３ｂは外側へ押し込まれ、それに伴い前方のカム接触部材１３ａ，１３ｂと一体の前方のノズル固定部材１０ａ，１０ｂが前方の噴射ノズル９ａ，９ｂと共に外側へ移動する。図７では、前後の噴射ノズル９ａ〜９ｄは、カム軸１６方向に重なり、前方の噴射ノズル９ａ，９ｂは図面上、現れない。
【００９７】
さらに、カム軸１６を同方向へ回転させると、図７から図８に示すように、同様に前後のノズル移動カム１４ａ，１４ｂも回転してさらに前後の噴射ノズル９ａ〜９ｄが内側と外側へ移動され、後方２つの噴射ノズル９ｃ，９ｄは最も近接し、前方２つの噴射ノズル９ａ，９ｂは最も離れた状態になる。
【００９８】
以上の構成および動作において、マッサージ受療者４３の身体の左右方向に対して前後左右２つの噴射ノズル９ａ〜９ｄの位置が左右方向に位置可変できるため、マッサージ受療者４３の各部広い範囲のマッサージ部位に対してマッサージが可能となる。なお、前後のノズル移動カム１４ａ，１４ｂの回転位相が９０度ずらされているため、前後の噴射ノズル９ａ〜９ｄは逆の動きをする。
【００９９】
マッサージが終了すると、載置部３は図１の位置に戻る。そこからさらに、右外側のチェーン３１が時計回りに回転し、左右２つの下側ガイド突起２８ｂ，２９ｂを後方へ押し込むと、載置部３が２点鎖線で示す位置より実線で示す位置へ、前方へ若干倒れた図５の状態になり、マッサージ受療者４３は載置部３から乗降しやすくなる。
【０１００】
なお、図９に示すように、載置部３の載置布２７と水槽２上面の被覆用シート７との間に、耐摩耗性の摩耗防止用シート４５を配置してもよい。摩耗防止用シート４５は、水槽２の被覆用シート７と接触する部分に配置される摩耗防止手段を構成する。
【０１０１】
摩耗防止用シート４５は、前後の支持部材４６ａ，４６ｂに巻回されており、載置部３の載置布２７と水槽２の被覆用シート７とが、直接、擦れ合わないようにしている。
【０１０２】
また、噴射ノズル９ａ〜９ｄは、実施形態では、垂直上方に水を噴射する方向に向いているが、それ以外の方向に向けられるようにしたり、あるいは、その噴射方向を自在に可変できるようにしたりしてもよい。
【０１０３】
また、噴射ノズル９ａ〜９ｄは上下方向に調節可能としてよい。
また、噴射ノズル９ａ〜９ｄの配置数は、４つに限定されない。
【符号の説明】
【０１０４】
１  マッサージ機
２  水槽
３  載置部
５  開口部
７  被覆用シート
９ａ，９ｂ  前方噴射ノズル
９ｃ，９ｄ  後方噴射ノズル
１３ａ，１３ｂ  前方カム接触部材
１３ｃ，１３ｄ  後方カム接触部材
１４ａ  前方ノズル移動カム
１４ｂ  後方ノズル移動カム
１５ａ  前方ノズル移動カムのカム溝
１５ｂ  後方ノズル移動カムのカム溝
１６  カム軸
１８  カム駆動モーター
１９  水圧発生ポンプ
２６  載置フレーム
２７  載置布
２８ａ，２９ａ  上側ガイド突起
２８ｂ，２９ｂ  下側ガイド突起
３０ａ，３０ｂ  本体フレーム
３１    右外側チェーン
３２ａ  右内側チェーン
３２ｂ  左内側チェーン
３３ａ  右側の載置部可動ガイド部材
３３ｂ  左側の載置部可動ガイド部材
３６  載置部可動モーター
【図１】
2016202821.tif 000003
【図２】
2016202821.tif 000004
【図３】
2016202821.tif 000005
【図４】
2016202821.tif 000006
【図５】
2016202821.tif 000007
【図６】
2016202821.tif 000008
【図７】
2016202821.tif 000009
【図８】
2016202821.tif 000010
【図９】
2016202821.tif 000011